(57)【要約】【課題】  前扉や取付部の剛性を向上可能とするとともに、取付部の配置領域を確保して演出効果をさらに向上でき、かつ、取付部材の簡易な仮止めを可能とする。【解決手段】  垂直方向に立設され上下に開口部２１、２２を有した板状部材からなる基枠（前扉本体９０）と、基枠に取り付けられる複数の取付部材７と、を備える遊技機１であって、基枠は、第一の開口部２１と第二の開口部２２の間に、複数の取付部材７を係止する取付部を備え、取付部は、該取付部を介して上下に取り付けられる二つの取付部材７それぞれに当接可能に凸設された。【選択図】    図３
2011217872.tif 000002
【特許請求の範囲】
【請求項１】
垂直方向に立設され上下に開口部を有した板状部材からなる基枠と、前記基枠に取り付けられる複数の取付部材と、を備える遊技機であって、
前記基枠は、第一の前記開口部と第二の前記開口部の間に、前記複数の取付部材を係止する取付部を備え、
前記取付部は、該取付部を介して上下に取り付けられる二つの前記取付部材それぞれに当接可能に凸設されたことを特徴とする遊技機。
【請求項２】
前記取付部は、前記二つの取付部材の一部が係入可能に開口された係入部を備える請求項１記載の遊技機。
【請求項３】
前記取付部は、前記二つの取付部材に対応して複数設けられ、
一方の取付部材に対応する前記取付部において、他方の取付部材が当接する面側を閉塞させた請求項１又は２記載の遊技機。
【請求項４】
前記取付部は、上下に取り付けられる前記二つの取付部材のうち下に取り付けられる取付部材における当該取付部と当接する側の辺の長さに対応して連設された請求項１〜３のいずれか一項に記載の遊技機。
【請求項５】
前記基枠は、前記二つの取付部材に対応して設けられ、それぞれの取付部材と係合する弾性爪部を備え、
前記弾性爪部と前記取付部とで、二つの前記取付部材をそれぞれ前記基枠に係止する請求項１〜４のいずれか一項に記載の遊技機。
【請求項６】
前記基枠は、水平方向に回動する遊技機の正面側を覆う前扉であり、
前記取付部の上側に取り付けられる前記取付部材を、所定の表示器を備える表示ユニットとし、
前記取付部の下側に取り付けられる前記取付部材を、矩形状の枠体とした請求項１〜５のいずれか一項に記載の遊技機。
【発明の詳細な説明】
【技術分野】
【０００１】
本発明は、遊技に関する情報を表示する液晶表示器やリール図柄を表示する表示窓などが前面に設けられた遊技機に関し、特に、液晶表示器を含む表示ユニットや、表示窓を構成する表示部材を支持する中パネル枠を、遊技機の前面に設けられた前扉に取り付けるための取付構造を備えて該前扉の剛性を向上可能とする遊技機に関する。
【背景技術】
【０００２】
一般に、スロットマシンやパチンコ機などの遊技機は、前面に開口を有する箱状の筐体と、水平方向に回動する遊技機の正面側を覆う前扉とを備えて構成されている。そして、前扉には、遊技に関する情報を表示可能な液晶表示器や、所定の図柄が周面に描かれたリールを視認可能な表示窓、遊技者により操作されるスタートレバーやストップボタンなどが設けられる操作台、遊技機に関連したキャラクタやデザインなどが施された化粧パネルなどが装着されている。
【０００３】
ここで、それら液晶表示器等を前扉に装着する手法には様々なものがあるが、その具体例として、例えば、液晶表示器を含む表示ユニットを前扉の裏側から取り付けるもの（例えば、特許文献１参照。）、表示窓を構成する透明表示板を支持する中パネル枠を前扉の裏側から取り付けるもの（例えば、特許文献２参照。）、化粧パネルを含む下パネルを前扉の裏側から取り付けるもの（例えば、特許文献３参照。）、などがある。
【０００４】
また、下パネルの取り付け方法として、該下パネルの上辺に凸設形成された係止片を前扉の係止部に係止させた後、下パネルの下辺に鉤状に形成された係合爪を前扉の係合部に係合させることにより、下パネルを取り付けるものがある（例えば、特許文献４参照。）。このような構成にすれば、下パネルを前扉に取り付けることができる。
【先行技術文献】
【特許文献】
【０００５】
【特許文献１】特開２００５−３０４７４７号公報
【特許文献２】特開２００５−０２１４３５号公報
【特許文献３】特開２００７−２５２３９５号公報
【特許文献４】特開２００３−２２５３５３号公報
【発明の概要】
【発明が解決しようとする課題】
【０００６】
しかしながら、前扉への液晶表示器等の装着については、次のような問題があった。
例えば、前扉の前面上部に取り付けられる液晶表示器は、制御基板を含むユニット化された状態で前扉の裏面にネジにより螺着固定されるが、特に表示ユニットの下側を固定するネジや、このネジが螺入するネジ穴には、表示ユニットの荷重が一手に加わるため、その剛性や耐荷重が問題となっていた。しかも、液晶表示器は、演出効果の向上のために表示画面が拡大傾向にあり、これに伴って表示ユニットの重量も増加していることから、前述したネジやネジ穴といった表示ユニットの取付部の剛性や耐荷重を高める必要があった。
【０００７】
また、前述したように、液晶表示器は、演出効果の向上のために表示画面が拡大傾向にあった。そして、前扉の本体上部には、その液晶表示器を前面に露出させるための表示窓が形成されており、液晶表示器の拡大に伴って表示窓も大きくなっていた。このため、前扉においては、その液晶表示器を含む表示ユニットの取付部の配置領域が狭くなり、その配置領域の確保が難しくなっていた。
【０００８】
さらに、遊技機の設計段階や検査段階においては、取付部材の改良や更新等にともなって該取付部材の取り外しや交換を行うことが多い。ここで、取付部材がネジを用いて装着される場合、ドライバーなどでそのネジを回しながら締め付けて螺着し、また取付部材を交換する際には、そのネジを逆方向に回しながら緩めて取り外す必要があり、相当の手間がかかっていた。よって、ネジによる強固な螺着ではなく、取付部材の交換を想定した簡易な仮止めが可能な技術の提案が求められていた。
【０００９】
本発明は、上記の事情にかんがみなされたものであり、前扉や取付部の剛性や耐荷重の問題を解消するとともに、取付部の配置領域を確保しつつ液晶表示器を拡大して演出効果の向上を実現でき、かつ、取付部材の簡易な仮止めを可能とする遊技機の提供を目的とする。
【課題を解決するための手段】
【００１０】
この目的を達成するため、本発明の遊技機は、垂直方向に立設され上下に開口部を有した板状部材からなる基枠と、基枠に取り付けられる複数の取付部材と、を備える遊技機であって、基枠は、第一の開口部と第二の開口部の間に、複数の取付部材を係止する取付部を備え、取付部は、該取付部を介して上下に取り付けられる二つの取付部材それぞれに当接可能に凸設された構成としてある。
【発明の効果】
【００１１】
本発明の遊技機によれば、基枠に取り付けられる少なくとも二つの取付部材間の境界に、これら二つの取付部材それぞれに当接可能に凸設された取付部を備えたので、上方の取付部材からの荷重が、取付部を介して下方の取付部材に加わるようになり、該取付部の負担が減少することから、取付部の剛性や耐荷重の問題を解消できる。
【００１２】
また、基枠に対して一つの取付部が二つの取付部材を係止可能としたので、該取付部の配置領域を最小限に抑えることができ、取付部材を設ける表示窓を大きく形成して、演出効果の向上を実現できる。
さらに、前扉側の取付部として係入部と弾性爪部を備え、ユニット側の取付部として挿入部と被係止部を備えた構成とし、ユニット側取付部の挿入部を前扉側取付部の係入部に係入するとともに、前扉側取付部の弾性爪部をユニット側取付部の被係止部に係止することで、取付部材を容易に仮止めできる。
【図面の簡単な説明】
【００１３】
【図１】遊技機の構成を示す外観斜視図である。
【図２】遊技機の内部構成を示す斜視図である。
【図３】遊技機の前扉本体の裏面の構成を示す斜視図である。
【図４】斜め上方向から見た前扉本体の裏面の構成を示す斜視図である。
【図５】表示ユニットの構成を示す裏面図である。
【図６】中パネル枠の構成を示す裏面図である。
【図７】表示ユニットと中パネル枠を前扉本体に装着する様子を示す分解斜視図である。
【図８】表示ユニット及び中パネル枠が取り付けられていない状態における前扉本体の裏面の構成を示す裏面図である。
【図９】前扉本体の第一桟部に設けられる取付部の構成を示す水平方向断面図（図８のＩ−Ｉ断面図）である。
【図１０】表示ユニットに対応して設けられる前扉側取付部の構成を示す垂直方向断面図（図８のII−II断面図）であって、（ａ）は、表示ユニットの取付前、（ｂ）は、表示ユニットの取付後を示す。
【図１１】中パネル枠に対応して設けられる前扉側取付部（凸状部及びネジ穴部）の構成を示す垂直方向断面図（図８のIII−III断面図）であって、（ａ）は、中パネル枠の取付前、（ｂ）は、中パネル枠の取付後を示す。
【図１２】中パネル枠に対応して設けられる前扉側取付部（弾性爪部）の構成を示す水平方向断面図（図８のIV−IV断面図）である。
【図１３】表示ユニット及び中パネル枠が取り付けられた状態における前扉本体の前面の構成を示す正面図である。
【図１４】表示ユニットが取り付けられた状態における前扉上部の構成を示す垂直方向断面図（図１３のＶ−Ｖ断面図）である。
【図１５】中パネル枠が取り付けられた状態における前扉中央部の構成を示す垂直方向断面図（図１３のVI−VI断面図）である。
【発明を実施するための形態】
【００１４】
以下、本発明に係る遊技機の好ましい実施形態について、図面を参照して説明する。
なお、遊技機には、パチンコ機、スロットマシン、アレンジボール、雀球など様々な機類があるが、本実施形態では、メダルを遊技媒体とするスロットマシンに本発明を適用した場合について、図面を参照して説明する。
【００１５】
［スロットマシン本体］
図１は、本発明の一実施形態に係るスロットマシンの外観を示す斜視図、図２は、本発明の一実施形態に係るスロットマシンの内部構成を示す斜視図である。
これらの図に示すように、本実施形態のスロットマシン１は、前面に開口を有する箱状の筐体１ｂと、この筐体１ｂの前面に開閉可能に設けられる前扉１ａとを備えて構成されている。
【００１６】
前扉１ａは、水平方向に回動する遊技機１の正面側を覆う扉体であって、垂直方向に立設される板状部材からなる。この前扉１ａの前面中央には、筐体１ｂの内部に配置され、外周面に複数種類の図柄や数字などの識別情報が描かれた複数のリール１１（１１ａ，１１ｂ，１１ｃ）の該識別情報を視認可能な識別情報表示窓（中窓）２１が設けられている。
また、識別情報表示窓２１の上方には、遊技に関する情報を画面表示する液晶表示器７１の表示画面を視認可能な遊技情報表示窓（上窓）２２が設けられている。
【００１７】
さらに、識別情報表示窓２１の下方には、遊技操作に係る複数の操作手段が設けられている。操作手段には、メダルが投入されるメダル投入口３１と、各リール１１の回転を始動させるスタートレバー３２と、回転している各リール１１を停止させる複数（通常３つ）の停止ボタン３３（３３ａ，３３ｂ，３３ｃ）などがあり、これらが操作台３に設けられている。操作台３は、前扉１ａの正面から前方に向けて張り出した凸型形状の遊技者操作用台であって、遊技者が操作しやすいように前述の各操作手段が集中して取り付けられている。
そして、前扉１ａには、この前扉１ａの前面を覆うように前面パネル１ｃが設けられている。
【００１８】
筐体１ｂの内部には、複数のリール１１を収納するドラムユニット１０と、マイクロコンピュータ等で構成された制御部４と、メダルの貯留・払出しを行うメダル払出装置５が設けられている。
【００１９】
このような構成を有するスロットマシン１では、次のようなスロットマシン遊技が進行する。
すなわち、遊技者によりメダル投入口３１からメダルが投入され、スタートレバー３２が操作されると、制御部４は、ドラムユニット１０を駆動して、各リール１１を回転させる制御を行う。また、制御部４は、スタートレバー３２が操作されたときに、ボーナスや小役等を抽せんする内部抽せんを行い、各停止ボタン３３が押下操作されたタイミングに基づき、抽せん結果に応じた図柄の組合せで停止するよう、回転している各リール１１の停止制御を行う。
さらに、制御部４は、各リール１１に停止表示される図柄の組合せを判定し、所定の図柄の組合せのときには、メダル払出装置５に対して所定数のメダルを払い出す制御を行い、メダルをメダル払出口６から払い出す。
【００２０】
このような遊技動作を行うスロットマシン１においては、前扉１ａの裏面９０ａの上部に、制御部４からの指令により液晶表示器７１の表示内容を制御する表示制御基板７２（図１４参照）と該液晶表示器７１とを含む表示ユニット７ａが設けられている。また、前扉１ａの裏面９０ａの中央には、識別情報表示窓２１を構成する透明の表示部材２１ａを周囲から支持する矩形状の枠体である中パネル枠７ｂが取り付けられている。これら表示ユニット７ａ及び中パネル枠７ｂは、所定かつ複数の機能をユニット化して前扉１ａの裏面９０ａに取付容易にした取付部材７（７ａ、７ｂ）として構成されており、前扉１ａの裏面９０ａに重なることなく取り付けられている。
【００２１】
取付部材７には、該取付部材７を前扉１ａの裏面９０ａに取付可能に形成された挿入部７３−１（７３ａ−１、７３ｂ−１）や貫通孔７５−１（７５ａ−１、７５ｂ−１）などのユニット側取付部が設けられている。一方、前扉１ａの裏面９０ａには、取付部材７のユニット側取付部に対応して形成された係入部９２ｃやネジ穴部９４ａ（９４ａ−１、９４ａ−２）などの前扉側取付部が設けられている。これらユニット側取付部と前扉側取付部とを互いに係止することで、取付部材７を前扉１ａの裏面９０ａに取付可能となっている。つまり、それらユニット側取付部と前扉側取付部とにより取付部材７の取付構造を構成している。
そして、取付部材７の取付構造の一つとして、前扉１ａの裏面９０ａにおける表示ユニット７ａとこれに隣接して取り付けられる中パネル枠７ｂとの間の境界に、これらの取付部材７を前扉１ａの裏面９０ａに係止する取付部（凸状部９２ｂ）を備え、この取付部がそれら二つの取付部材７それぞれに当接可能に凸設された構造となっている。
以下に、本実施形態の遊技機における取付部材の取付構造について、各図を参照して詳述する。
【００２２】
［遊技機における取付部材の取付構造］
図３は、取付部材７が取り外された状態における前扉本体９０の裏面９０ａの構成を示す斜視図、図４は、前扉１ａの裏面９０ａを斜め上から見た状態を示す斜視図、図５は、表示ユニット７ａの構成を示す裏面図、図６は、中パネル枠７ｂの構成を示す裏面図、図７は、表示ユニット７ａと中パネル枠７ｂを前扉１ａの裏面９０ａへ取り付ける様子を示す分解斜視図、図８は、表示ユニット７ａ及び中パネル枠７ｂが取り外された状態における前扉本体９０の裏面９０ａの構成を示す裏面図、図９は、凸状部９２ｂの構成を示す水平方向断面図（図８のＩ−Ｉ断面図）、図１０は、表示ユニット７ａの取付前（ａ）又は取付後（ｂ）における、表示ユニット取付用の前扉側取付部の構成を示す垂直方向断面図（図８のII−II断面図）、図１１は、中パネル枠７ｂの取付前（ａ）又は取付後（ｂ）における、中パネル枠取付用の前扉側取付部（凸状部９２ｂ及びネジ穴部９４ａ）の構成を示す垂直方向断面図（図８のIII−III断面図）、図１２は、中パネル枠取付用の前扉側取付部（弾性爪部９３ａ−２）の構成を示す水平方向断面図（図８のIV−IV断面図）、図１３は、表示ユニット７ａ及び中パネル枠７ｂの取付状態における前扉本体９０の前面９０ｂの構成を示す正面図、図１４は、表示ユニット７ａの取付状態における前扉本体９０の上部の構成を示す垂直方向断面図（図１３のＶ−Ｖ断面図）、図１５は、中パネル枠７ｂの取付状態における前扉本体９０の中央部の構成を示す垂直方向断面図（図１３のVI−VI断面図）である。
【００２３】
本実施形態に係る取付部材７の取付構造は、前述したように、取付部材７に形成された挿入部７３−１や貫通孔７５−１などのユニット側取付部と、前扉１ａの裏面９０ａに形成された係入部９２ｃやネジ穴部９４ａなどの前扉側取付部とによって構成され、これらユニット側取付部と前扉側取付部とを互いに係止することで、取付部材７を前扉１ａの裏面９０ａに取付可能となっている。
そして、前扉側取付部の一つとして、前扉１ａの裏面９０ａにおける表示ユニット７ａとこれに隣接して取り付けられる中パネル枠７ｂとの間の境界に、これらの取付部材７を前扉１ａの裏面９０ａに係止する取付部（凸状部９２ｂ）を備え、この取付部がそれら二つの取付部材７それぞれに当接可能に凸設された構造となっている。
ここでは、まず、前扉１ａ及び前扉側取付部の構成について説明し、その後にユニット側取付部の構成について説明する。
【００２４】
前扉１ａの本体９０は、垂直方向に立設された板状部材である前扉１ａの基礎となる枠体部分（基枠）であって、一定の剛性を有した金属又は合成樹脂などで形成することができ、前述した表示ユニット７ａ等の取付部材７や操作台３、前面パネル１ｃなど、遊技に関する装置が多数装着されるとともに、これら各装置を装着可能とするために、所定の箇所にネジ穴や弾性爪部などの取付部が多数配置されている。
【００２５】
また、前扉本体９０には、表示ユニット７ａに含まれる液晶表示器７１の表示画面を前面に表示可能に開口された遊技情報表示窓（上窓）２２と、中パネル枠７ｂに含まれる透明板状の表示部材２１ａを前面に露出可能に開口された識別情報表示窓（中窓）２１と、操作台３に配置された各操作手段の配線やメダル投入口３１からのメダルを遊技機１の内部に取込可能に開口された下窓２３が形成されている。
そして、遊技情報表示窓２２と識別情報表示窓２１との間に、前扉本体９０の右枠部９１ｃと左枠部９１ｄとを橋渡しするように設けられた、長手方向が水平方向の第一桟部９１ａを有し、識別情報表示窓２１と下窓２３との間に、前扉本体９０の右枠部９１ｃと左枠部９１ｄとを橋渡しするように設けられた、長手方向が水平方向の第二桟部９１ｂを有している。
【００２６】
なお、本実施形態においては、前扉本体９０を裏面９０ａ側から見て右側にある枠を右枠部９１ｃ、左側にある枠を左枠部９１ｄとしているが、これらに限るものではなく、前扉１ａを前面９０ｂ側から見て右側にある枠を右枠部、左側にある枠を左枠部とすることもできる。ただし、これらは呼び名の違いだけであって、前扉１ａの構成が変わるものではない。
また、遊技情報表示窓２２には表示ユニット７ａが取り付けられることから、遊技情報表示窓２２及びこの周辺は、表示ユニット７ａの取付領域を構成する。さらに、識別情報表示窓２１には中パネル枠７ｂが取り付けられることから、識別情報表示窓２１及びこの周辺は、中パネル枠７ｂの取付領域を構成する。そして、遊技情報表示窓２２と識別情報表示窓２１との間に位置する第一桟部９１ａは、表示ユニット７ａの取付領域と中パネル枠７ｂの取付領域との境界に位置する。
【００２７】
第一桟部９１ａは、前扉本体９０の右枠部９１ｃと左枠部９１ｄとを橋渡しするように連接する板状の基部９２ａと、この基部９２ａから遊技機１の内部へ向かう方向（前扉本体９０の裏面９０ａから垂直方向）に凸設形成された一又は二以上の凸状部９２ｂとを有している。
凸状部９２ｂは、図３、図４、図９等に示すように、上方から見た形状がほぼ矩形状（本実施形態においては、ほぼ台形状）で肉厚中空に形成されており、第一桟部９１ａの長手方向（立設された前扉本体９０に対して水平方向）に沿って連続して複数形成することができる。
【００２８】
また、凸状部９２ｂには、矩形状の中央部に穴状に開口された係入部９２ｃが形成されている。
係入部９２ｃは、凸状部９２ｂの上面９２ｂ１又は下面９２ｂ２のいずれか一方に形成されている。そして、係入部９２ｃが上面９２ｂ１に形成された凸状部９２ｂは、表示ユニット７ａの下辺７７ａに形成された挿入部７３ａ−１（後述）が係入し、係入部９２ｃが下面９２ｂ２に形成された凸状部９２ｂは、中パネル７ｂの上辺７８ｂに形成された挿入部７３ｂ−１（後述）が係入するようになっている。
つまり、複数の凸状部９２ｂのうち上面９２ｂ１に係入部９２ｃが形成された凸状部９２ｂは、表示ユニット７ａ用の前扉側取付部として構成され、下面９２ｂ２に係入部９２ｃが形成された凸状部９２ｂは、中パネル枠７ｂ用の前扉側取付部として構成されている。具体的には、図４に示すように、五つの凸状部９２ｂ（第一凸状部９２ｂ−１〜第五凸状部９２ｂ−５）が第一桟部９１ａに連設されている場合において、右枠部９１ｃの方から数えて一つ目の第一凸状部９２ｂ−１と、三つ目の第三凸状部９２ｂ−３と、五つ目の第五凸状部９２ｂ−５が、上面９２ｂ１に係入部９２ｃが形成された表示ユニット７ａ用の前扉側取付部を構成し、二つ目の第二凸状部９２ｂ−２と、四つ目の第四凸状部９２ｂ−４が、下面９２ｂ２に係入部９２ｃ（図示せず）が形成された中パネル枠７ｂ用の前扉側取付部として構成されている。
【００２９】
また、凸状部９２ｂの上面９２ｂ１又は下面９２ｂ２の一方に係入部９２ｃが形成されている場合において、該係入部９２ｃが形成されていない面は、閉塞しており、取付部材７の側面の一部が当接する被当接面９２ｄとして構成されている。
例えば、上面９２ｂ１に係入部９２ｃが形成された凸状部９２ｂの下面９２ｂ２は、中パネル枠７ｂの上辺７８ｂに設けられた当接部７３ｂ−２が当接する被当接面９２ｄとして構成されている。また、下面９２ｂ２に係入部９２ｃが形成された凸状部９２ｂの上面９２ｂ１は、表示ユニット７ａの下辺７７ａに設けられた当接部７３ａ−２が当接する被当接面９２ｄとして構成されている。
【００３０】
さらに、凸状部９２ｂの上面９２ｂ１に形成された係入部９２ｃに表示ユニット７ａの挿入部７３ａ−１が係入する場合、挿入部７３ａ−１の先端面７３ａ−３が係入部９２ｃの穴状底部９２ｅに当接するか、あるいは、挿入部７３ａ−１が形成された表示ユニット７ａの下辺７７ａのうちの挿入部７３ａ−１の周辺部７３ａ−４が係入部９２ｃの形成された凸状部９２ｂの上面９２ｂ１に当接する。また、凸状部９２ｂの下面９２ｂ２に形成された係入部９２ｃに中パネル枠７ｂの挿入部７３ｂ−１が係入する場合、挿入部７３ｂ−１の先端面７３ｂ−３が係入部９２ｃの穴状底部９２ｅに当接するか、あるいは、挿入部７３ｂ−１が形成された中パネル枠７ｂの上辺７８ｂのうちの挿入部７３ｂ−１の周辺部７３ｂ−４が係入部９２ｃの形成された凸状部９２ｂの下面９２ｂ２に当接する。
【００３１】
つまり、凸状部９２ｂにおいては、係入部９２ｃが形成された上面９２ｂ１又は下面９２ｂ２で、該係入部９２ｃに挿入部７３−１を挿入する取付部材７の一部が当接し、係入部９２ｃが形成されていない下面９２ｂ２又は上面９２ｂ１では、前述したように取付部材７の当接部７３−２が当接する。
このように、凸状部９２ｂは、二つの取付部材７それぞれに当接可能に凸設されていることから、該凸状部９２ｂの上面９２ｂ１に当接する表示ユニット７ａからの荷重を、該凸状部９２ｂを介して、下面９２ｂ２に当接する中パネル枠７ｂに伝えることができ、該凸状部９２ｂの加重負担を軽減可能として、凸状部９２ｂの剛性又は耐荷重に関する問題、例えば、それら剛性や耐荷重の強化に伴う設計労力やコストアップを抑えることができる。
【００３２】
また、前扉本体９０の裏面９０ａに取り付けられた表示ユニット７ａと中パネル枠７ｂとの間の境界に、表示ユニット７ａ用の凸状部９２ｂと中パネル枠７ｂ用の凸状部９２ｂを配置したので、それら凸状部９２ｂを最小限の配置エリアで効率的に配置できる。これにより、遊技情報表示窓２２を大きく形成できるため、画面の拡大された液晶表示器７１を取付可能にして、演出効果をさらに高めることができる。
【００３３】
また、凸状部９２ｂは、中パネル枠７ｂにおける該凸状部９２ｂと当接する側の辺（中パネル枠７ｂの上辺７８ｂ）に対応した長さで複数連設されている。これにより、表示ユニット７ａからの荷重を、中パネル枠７ｂの上辺７８ｂの全体で受け止めて表示ユニット７ａを支持することができる。これにより、液晶表示器７１の表示画面が大きくなって表示ユニット７ａが重くなったり、表示ユニット７ａの下辺７７ａが中パネル枠７ｂの上辺７８ｂより長くなったりしたとしても、中パネル枠７ｂの上辺７８ｂの全体で安定して表示ユニット７ａを支持することができる。なお、表示ユニット７ａの下辺７７ａが中パネル枠７ｂの上辺７８ｂより短い場合には、中パネル枠７ｂの上辺７８ｂのうち表示ユニット７ａの下辺７７ａに対向する部分で、その表示ユニット７ａを支持することができる。
【００３４】
さらに、第一桟部９１ａを、単なる平板ではなく、複数の凸状部９２ｂが連設した凹凸形状としたので、この第一桟部９１ａの剛性を高めることができる。
しかも、複数の凸状部９２ｂが前扉本体９０と一体形成されているので、係止用の部品点数を減少でき、部品管理の煩雑さを軽減できる。ただし、凸状部９２ｂ（又は、係入部９２ｃが形成される部材）は、前扉本体９０とは別個に形成し、第一桟部９１ａに接合する構成とすることもできる。
【００３５】
なお、凸状部９２ｂの凸設方向の長さ（凸状部９２ｂの矩形状の高さ、図４の「Ｌ」）は、一の取付部材７用と他の取付部材７用で変えることができる。具体的には、例えば、図４に示すように、表示ユニット７ａ用の凸状部９２ｂ（第一凸状部９２ｂ−１、第三凸状部９２ｂ−３、第五凸状部９２ｂ−５）の凸設方向の長さを長くし、中パネル７ｂ用の凸状部９２ｂ（第二凸状部９２ｂ−２、第四凸状部９２ｂ−４）の凸設方向の長さを短くすることができる。これにより、その凸状部９２ｂがいずれの取付部材７用の凸状部９２ｂであるかを容易に認識でき、取付部材７を係止する際に、係止位置の間違えを防止できる。
【００３６】
ここまで説明した凸状部９２ｂの他、前扉本体９０に形成される前扉側取付部には、凸設鉤状に形成された弾性爪部９３ａ（９３ａ−１、９３ａ−２）や、ネジ８が螺入されるネジ穴部９４ａ（９４ａ−１、９４ａ−２）などがある。
弾性爪部９３ａは、前扉本体９０の裏面９０ａのうち窓部（遊技情報表示窓２２、識別情報表示窓２１）の周縁部に沿った複数箇所に、前扉本体９０の裏面９０ａから垂直方向外方に向かって凸設形成された取付部である。この弾性爪部９３ａの先端は、窓部に向かって鉤状に屈曲形成されており、取付部材７の端辺に設けられた被係止部７４−２（７４ａ−２、７４ｂ−２）に係止して該取付部材７を固定するようになっている。
【００３７】
具体的に、弾性爪部９３ａには、表示ユニット７ａを係止固定する弾性爪部９３ａ−１と、中パネル枠７ｂを係止固定する弾性爪部９３ａ−２がある。
表示ユニット７ａ用の弾性爪部９３ａ−１は、遊技情報表示窓２２の上縁部に沿った複数箇所（図３においては、二箇所）に凸設形成されており、表示ユニット７ａの被係止部７４ａ−２に係止して該表示ユニット７ａを固定するようになっている。
中パネル枠７ｂ用の弾性爪部９３ａ−２は、識別情報表示窓２１の側縁部近傍の複数箇所（図３においては、二箇所）に凸設形成されており（図１２参照）、中パネル枠７ｂの被係止部７４ｂ−２に係止して該中パネル枠７ｂを固定するようになっている。
【００３８】
なお、表示ユニット７ａ用の弾性爪部９３ａ−１は、本実施形態においては、遊技情報表示窓２２の上縁部に沿った二箇所に形成しているが、上縁部かつ二箇所に限るものではなく、遊技情報表示窓２２の周縁部に沿った任意の箇所に任意の数だけ設けることができる。
また、中パネル枠７ｂ用の弾性爪部９３ａ−２は、本実施形態においては、識別情報表示窓２１の側縁部近傍の二箇所に形成しているが、識別情報表示窓２１の側縁部近傍かつ二箇所に限るものではなく、識別情報表示窓２１の周縁部に沿った任意の箇所に任意の数だけ設けることができる。
【００３９】
ネジ穴部９４ａは、前扉本体９０の裏面９０ａのうち窓部（遊技情報表示窓２２、識別情報表示窓２１）の周縁部に沿った複数箇所に、該裏面９０ａから前扉１ａの前面９０ｂ方向に向かって穿設された穴部である。このネジ穴部９４ａに、取付部材７に設けられた貫通孔７５−１を重ね合わせ、これら貫通孔７５−１とネジ穴部９４ａにネジ８を挿入して該取付部材７を螺着固定するようになっている。
【００４０】
具体的に、ネジ穴部９４ａには、表示ユニット７ａを係止固定するネジ穴部９４ａ−１と、中パネル枠７ｂを係止固定するネジ穴部９４ａ−２がある。
表示ユニット７ａ用のネジ穴部９４ａ−１は、遊技情報表示窓２２の上縁部に沿った複数箇所（図３においては、三箇所）に穿設されており、表示ユニット７ａの貫通孔７５ａ−１を重ね合わせてネジ８を挿入し該表示ユニット７ａを螺着固定するようになっている。
中パネル枠７ｂ用のネジ穴部９４ａ−２は、識別情報表示窓２１の下縁部に沿った複数箇所（図３においては、二箇所）に穿設されており、中パネル枠７ｂの貫通孔７５ｂ−１を重ね合わせてネジ８を挿入し該中パネル枠７ｂを螺着固定するようになっている。
【００４１】
なお、表示ユニット７ａ用のネジ穴部９４ａ−１は、本実施形態においては、遊技情報表示窓２２の上縁部に沿った三箇所に形成しているが、上縁部かつ三箇所に限るものではなく、遊技情報表示窓２２の周縁部に沿った任意の箇所に任意の数だけ設けることができる。
また、中パネル枠７ｂ用のネジ穴部９４ａ−２は、本実施形態においては、識別情報表示窓２１の下縁部に沿った二箇所に形成しているが、識別情報表示窓２１の下縁部かつ二箇所に限るものではなく、識別情報表示窓２１の周縁部に沿った任意の箇所に任意の数だけ設けることができる。
【００４２】
このように、前扉１ａの裏面９０ａには、前扉側取付部が形成されているが、この前扉側取付部に対応して、表示ユニット７ａや中パネル枠７ｂなどの取付部材７には、ユニット側取付部が形成されている。
以降、取付部材７及びユニット側取付部の構成について説明する。
【００４３】
表示ユニット７ａは、液晶表示器７１の表示内容を制御する表示制御基板７２を収納する基板ケース７６を備えて構成されている。
基板ケース７６は、例えば、透明のプラスチックなどを材料として形成することができ、図５に示すように、下辺７７ａには、外方へ向かって凸設形成された挿入部７３ａ−１が設けられており、上辺７８ａには、外方へ向かって延出形成された延設部７９ａが設けられている。この延設部７９ａには、該延設部７９ａの延出方向に対して垂直に穿設された孔部７４ａ−１と、この孔部７４ａ−１の内面の一部に形成された壁部（又は、孔部７４ａ−１の開口周縁部の一部）からなる被係止部７４ａ−２と、延設部７９ａの延出方向に対して垂直に穿設された貫通孔７５ａ−１が形成されている。
【００４４】
挿入部７３ａ−１は、前扉本体９０の裏面９０ａに設けられた複数の凸状部９２ｂのうち表示ユニット７ａ用の凸状部９２ｂに対応して設けられた突設部分であって、図１０（ａ），（ｂ）及び図１４に示すように、凸状部９２ｂの係入部９２ｃに上方から係入されることで、該挿入部７３ａ−１の側面や先端面７３ａ−３が係入部９２ｃの内側面や穴状底部９２ｅに近接又は接触するため、挿入部７３ａ−１が係入部９２ｃに係止されて、表示ユニット７ａを前扉本体９０に対する前後左右方向及び下方向に脱抜不能としている。
【００４５】
孔部７４ａ−１及び被係止部７４ａ−２は、前扉本体９０の裏面９０ａに設けられた弾性爪部９３ａ−１に対応して設けられており、図１０（ａ），（ｂ）に示すように、弾性爪部９３ａ−１の鉤状部分が孔部７４ａ−１に挿入されるとともに被係止部７４ａ−２に係止することで、弾性爪部９３ａ−１が孔部７４ａ−１の内側面により上下及び側方から囲まれるとともに、弾性爪部９３ａ−１が孔部７４ａ−１の開口方向から被係止部７４ａ−２を係止するため、表示ユニット７ａを前扉本体９０から脱抜不能としている。
貫通孔７５ａ−１は、前扉本体９０の裏面９０ａに設けられたネジ穴部９４ａ−１に対応して穿設されており、図１４に示すように、該貫通孔７５ａ−１に挿入されたネジ８がネジ穴部９４ａ−１に螺入することで、表示ユニット７ａを前扉本体９０に螺着固定し脱抜不能としている。
【００４６】
なお、本実施形態において、表示ユニット７ａには、挿入部７３ａ−１が三つ設けられているが、三つに限るものではなく、任意の数だけ設けることができる。そして、前扉本体９０においては、その挿入部７３ａ−１の数と同数の凸状部９２ｂ及び係入部９２ｃが形成される。被係止部７４ａ−１や貫通孔７５ａ−１も同様である。
また、延設部７９ａは、基板ケース７６の上辺７８ａに複数形成することができ、これら延設部７９ａのそれぞれに、被係止部７４ａ−１と貫通孔７５ａ−１の一方又は双方を形成することができる。
【００４７】
中パネル枠７ｂは、識別情報表示窓２１を構成する透明な表示部材２１ａを四方から支持する枠体７ｂ１を有して構成されている。
この枠体７ｂ１は、例えば、一定の剛性を有するプラスチックなどの材料で形成することができ、上辺７８ｂには、外方へ向かって凸設形成された挿入部７３ｂ−１が設けられており、下辺７７ｂには、外方へ向かって延出形成された延設部７９ｂが設けられている。この延設部７９ｂには、該延設部７９ａの縁部からなる被係止部７４ｂ−１と、該延設部７９ａの延出方向に対して垂直に穿設された貫通孔７５ｂ−１とを有している。
【００４８】
挿入部７３ｂ−１は、前扉本体９０の裏面９０ａに設けられた複数の凸状部９２ｂのうち中パネル枠７ｂ用の凸状部９２ｂに対応して設けられた突設部分であって、図１１（ａ），（ｂ）及び図１５に示すように、凸状部９２ｂの係入部９２ｃに下方から係入されることで、該挿入部７３ｂ−１の側面や先端面７３ｂ−３が係入部９２ｃの内側面や穴状底部９２ｅに近接又は接触するため、挿入部７３ｂ−１が係入部９２ｃに係止されて、中パネル枠７ｂを前扉本体９０の前後左右方向及び上方向に脱抜不能としている。
【００４９】
被係止部７４ｂ−２は、前扉本体９０の裏面９０ａに設けられた弾性爪部９３ａ−２に対応して設けられており、弾性爪部９３ａ−２の鉤状部分が被係止部７４ｂ−２に係止することで、弾性爪部９３ａ−２が中パネル枠７ｂを側方から係止固定するため、中パネル枠７ｂを前扉本体９０の左右方向に脱抜不能としている。
貫通孔７５ｂ−１は、前扉本体９０の裏面９０ａに設けられたネジ穴部９４ａに対応して穿設されており、図１１（ａ），（ｂ）に示すように、該貫通孔７５ｂ−１に挿入されたネジ８がネジ穴部９４ａ−２に螺入することで、中パネル枠７ｂを前扉本体９０に螺着固定し脱抜不能としている。
【００５０】
なお、本実施形態において、中パネル枠７ｂには、挿入部７３ｂ−１が二つ設けられているが、二つに限るものではなく、任意の数だけ設けることができる。そして、前扉本体９０においては、その挿入部７３ｂ−１の数と同数の凸状部９２ｂが形成される。被係止部７４ｂ−１や貫通孔７５ｂ−１も同様である。
【００５１】
このように、本実施形態に係る取付部材の取付構造は、前扉本体９０の裏面９０ａにおいて、第一桟部９１ａに形成された複数の凸状部９２ｂと、窓部２１、２２の周縁に沿って設けられた鉤状の弾性爪部９３ａと、同じく窓部２１、２２の周縁に沿って穿設されたネジ穴部９４ａを設けるとともに、取付部材７において、前記の凸状部９２ｂの係入部９２ｃに係入する挿入部７３−１と、前記の弾性爪部９３ａが係止される被係止部７４−１と、前記のネジ穴部９４ａに重ね合わされてネジ８が挿入される貫通孔７５−１とを有して構成されている。
【００５２】
そして、取付部材７は、次の手順で、前扉本体９０の裏面９０ａに取り付けられる。
取付部材７が表示ユニット７ａの場合は、まず、表示ユニット７ａの挿入部７３ａ−１を前扉本体９０の係入部９２ｃに係入する。このとき、その表示ユニット７ａの挿入部７３ａ−１は、係入部９２ｃの垂直上方から係入するのではなく、表示ユニット７ａの上辺７８ａを手前へ傾斜させながら係入部９２ｃに対し斜め上方向から係入し、係入後に表示ユニット７ａが垂直方向に向くように、係入部９２ｃを軸として起こす。そして、このときに、表示ユニット７ａの被係止部７４ａ−２に前扉本体９０の弾性爪部９３ａ−１の鉤状部分を係止させる。これにより、表示ユニット７ａが前扉本体９０の裏面９０ａに装着（仮止め）される。また、表示ユニット７ａを仮止めした状態では、表示ユニット７ａの貫通孔７５ａ−１と前扉本体９０のネジ穴部９４ａ−１が重なり合う。ここにネジ８を螺入することで、表示ユニット７ａを前扉本体９０の裏面９０ａに螺着固定することができる。
【００５３】
また、取付部材７が中パネル枠７ｂの場合は、まず、中パネル枠７ｂの挿入部７３ｂ−１を前扉本体９０の係入部９２ｃに係入する。このとき、その中パネル枠７ｂの挿入部７３ｂ−１は、係入部９２ｃの垂直下方から係入するのではなく、中パネル枠７ｂの下辺７７ｂを手前へ傾斜させながら係入部９２ｃに対し斜め下方向から係入し、係入後に中パネル枠７ｂが垂直方向に向くように、係入部９２ｃを軸として中パネル枠７ｂの下辺７７ｂを押し込む。このように押し込むと、中パネル枠７ｂの被係止部７４ｂ−２に前扉本体９０の弾性爪部９３ａ−２の鉤状部分が係止する。これにより、中パネル枠７ｂが前扉本体９０の裏面９０ａに装着（仮止め）される。また、中パネル枠７ｂが仮止めされた状態では、中パネル枠７ｂの貫通孔７５ｂ−１が前扉本体９０のネジ穴部９４ａ−２に重なり合う。ここにネジ８を螺入することで、中パネル枠７ｂを前扉本体９０の裏面９０ａに螺着固定することができる。
【００５４】
このように、取付部材７の取付構造として、前扉本体９０に穴状の係入部９２ｃと鉤状の弾性爪部９３ａを形成し、取付部材７に凸状部７３−１と被係止部７４−１を形成して、取付部材７の凸状部７３−１を前扉本体９０の係入部９２ｃに係入するとともに、取付部材７の被係止部７４−１に前扉本体９０の弾性爪部９３ａを係止するようにしたので、取付部材７を前扉本体９０に取付可能となるとともに、係入部９２ｃでは凸状部７３−１が単に挿入された状態であり、弾性爪部９３ａを人の手で係止方向とは逆の方向へ弾性的に曲げることで、その係止を解除して取付部材７を容易に取り外すことができる。つまり、取付部材７の取付構造として、係入部９２ｃと凸状部７３−１、そして、弾性爪部９３ａと被係止部７４−１との組み合わせを採用したことで、取付部材７を前扉１ａに対し取り外し可能に仮止めすることができる。そして、取付部材７の貫通孔７５−１と前扉本体９０のネジ穴部９４ａにネジ８を螺入することで取付部材７を前扉本体９０にしっかり螺着固定することができる。
【００５５】
なお、取付部材７の挿入部７３−１が係入する係入部９２ｃの開口の形状は、取付部材７の挿入部７３−１の形状に対応している。具体的には、例えば、係入部９２ｃの開口の幅方向（第一桟部９１ａの長手方向に平行する方向、図４のＡ１方向）の長さは、取付部材７の挿入部７３−１の幅方向（取付部材７における挿入部７３−１が形成された辺に平行する方向、図７のＡ２方向）の長さより僅かに長くなっている。そして、係入部９２ｃの開口の奥行き方向（第一桟部９１ａの長手方向に対して垂直方向、図４のＢ１方向）の長さは、取付部材７の挿入部７３−１の奥行き方向（取付部材７における挿入部７３−１が形成された辺に対して水平に直交する方向、図７のＢ２方向）の長さの所定倍以上（例えば、１．５倍以上）の長さとなっている。
これは、取付部材７を前扉本体９０の裏面９０ａに取り付ける手順に関係している。すなわち、前述したように、取付部材７の挿入部７３−１を係入部９２ｃに係入する際に、その取付部材７の上辺７８（又は下辺７７）を手前へ傾けながら係入部９２ｃに斜め上方向（又は斜め下方向）から係入し、係入後に取付部材７が垂直方向に向くように起こして前扉本体９０に取り付ける。つまり、取付部材７を前扉本体９０に取り付ける際、取付部材７の挿入部７３−１が係入部９２ｃの中を該挿入部７３−１の奥行き方向に移動する。このため、その移動分を考慮して、係入部９２ｃの開口の奥行き方向の長さを挿入部７３−１の奥行き方向の長さよりも長くしたものである。
【００５６】
また、表示ユニット７ａと中パネル枠７ｂを前扉本体９０に取り付ける場合、先に中パネル枠７ｂを取り付け、その後に表示ユニット７ａを取り付けるようにする。このような順番で取り付けることにより、先に取り付けられた中パネル枠７ｂが凸状部９２ｂの下面９２ｂ２に当接して該凸状部９２ｂを支持し、該凸状部９２ｂ及び第一桟部９１ａの剛性を高めてから表示ユニット７ａを取り付けることができるので、第一桟部９１ａや凸状部９２ａが表示ユニット７ａからの荷重で破損する恐れをなくすことができる。
【００５７】
以上説明したように、本実施形態の遊技機によれば、前扉に取り付けられる複数の取付部材間の境界に、これらの取付部材それぞれに当接可能に凸設された取付部を備えたので、上方の取付部材からの荷重が、取付部を介して下方の取付部材に加わるようになり、該取付部の負担が減少することから、取付部の剛性の問題を解消できる。
また、板状部材に対して一つの取付部が二つの取付部材を係止可能とするので、該取付部の配置領域を最小限に抑えることができ、取付部材を設ける表示窓を大きく形成して、演出効果をさらに向上できる。
【００５８】
さらに、前扉側の取付部として係入部と弾性爪部を備え、ユニット側の取付部として挿入部と被係止部を備えた構成とし、ユニット側取付部の挿入部を前扉側取付部の係入部に係入するとともに、前扉側取付部の弾性爪部をユニット側取付部の被係止部に係止することで、取付部材を容易に仮止めできる。
しかも、境界部の長手方向に沿って複数の凸状部を連設配置したので、前扉の剛性を高めることができる。
【００５９】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、上述した実施形態では、取付部材の例として表示ユニットや中パネル枠を挙げて説明したが、これらに限るものではなく、化粧パネルを含む下パネル枠にも本発明の取付構造を適用できる。
【００６０】
また、上述した実施形態では、第一桟部に複数の凸状部を形成し、これら凸状部のそれぞれに係入部を形成することとしたが、これに限るものではなく、例えば、第一桟部の全体にわたって一の凸状部を形成し、この凸状部の所定の位置に係入部を複数形成することもできる。ただし、凸状部を中空としたときは、機械的強度の問題があるので、凸状部の内部にリブなどを設けて機械的強度を高めておくのが望ましい。
さらに、上述した実施形態では、第一桟部に凸状部を五つ形成することとしたが、これに限るものではなく、例えば、凸状部を二つあるいは三つ形成し、一つの凸状部の上面又は下面に係入部を複数形成することもできる。
【００６１】
また、上述した実施形態では、凸状部の上面又は下面の一方に係入部を形成することしたが、これに限るものではなく、凸状部の上面と下面の両方に係入部を形成することができる。この場合、上面の係入部に表示ユニットの挿入部が係入し、下面の係入部に中パネル枠の挿入部が係入する。そして、このように上面と下面の両方に係入部が形成された凸状部は、表示ユニットと中パネル枠の両用の前扉側取付部として構成される。この場合、係入部は、底部を有しない貫通孔又は底部を有する穴状に形成することができる。
【００６２】
さらに、上述した実施形態では、表示ユニットに含まれる表示制御基板が液晶表示器を制御することとしたが、表示制御基板は、液晶表示器を制御することに限るものではなく、演出制御も可能とすることができる。
また、表示制御基板は、上述した実施形態においては、表示ユニットの内部に設けることとしたが、これに限るものではなく、遊技機内部の任意好適な箇所に設けることができる。この場合、表示制御基板と表示ユニットは、制御信号送信用のハーネスを介して接続される。これにより、表示制御基板からの制御信号が表示ユニット内の液晶表示器へ送信されて、該液晶表示器の表示内容が表示制御基板により制御可能となる。
【産業上の利用可能性】
【００６３】
本発明は、取付部材が前扉に装着される遊技機に広く利用することができる。
【符号の説明】
【００６４】
１  遊技機（スロットマシン）
１ａ  前扉
７  取付部材
７ａ  表示ユニット
７１  液晶表示器
７２  表示制御基板
７ｂ  中パネル枠
７３ａ−１、７３ｂ−１  挿入部
７４ａ−１、７４ｂ−１  被係止部
７５ａ−１、７５ｂ−１  貫通孔
９０  前扉本体（基枠）
９２ｂ  凸状部
９２ｃ  係入部
９２ｄ  被当接面
９３ａ−１、９３ａ−２  弾性爪部
９４ａ−１、９４ａ−２  ネジ穴部
【図１】
2011217872.tif 000003
【図２】
2011217872.tif 000004
【図３】
2011217872.tif 000005
【図４】
2011217872.tif 000006
【図５】
2011217872.tif 000007
【図６】
2011217872.tif 000008
【図７】
2011217872.tif 000009
【図８】
2011217872.tif 000010
【図９】
2011217872.tif 000011
【図１０】
2011217872.tif 000012
【図１１】
2011217872.tif 000013
【図１２】
2011217872.tif 000014
【図１３】
2011217872.tif 000015
【図１４】
2011217872.tif 000016
【図１５】
2011217872.tif 000017